(57)【特許請求の範囲】
【請求項１】
検針結果を印字出力する携帯型の検針装置であって、
顧客識別情報と関連付けて保留フラグを記憶する第１記憶部と、
顧客ごとに、検針結果の入力を受け付けるとともに、検針結果が入力されるに応じて、対応する顧客の顧客識別情報と関連付けて当該検針結果を登録し、
当該顧客の顧客識別情報と関連付けて保留フラグが記憶されている場合は、当該顧客の検針結果を印字出力することなく、当該顧客の検針結果の入力に連続して他の顧客の検針結果の入力を受け付ける検針結果登録部と、
を備えることを特徴とする検針装置。
【請求項２】
前記検針結果登録部が検針結果を登録したとき、対応する顧客の顧客識別情報と関連付けて保留フラグが記憶されていない場合は、これを契機として当該顧客の検針結果を印字出力する印字制御部、を更に備える
ことを特徴とする請求項１に記載の検針装置。
【請求項３】
検針結果が印字出力された場合、対応する顧客の顧客識別情報と関連付けて印字済みフラグを記憶する第２記憶部と、
検針結果が登録された顧客であって、印字済みフラグが記憶されていない顧客の顧客識別情報を印字出力の対象として選択可能に提示する提示部と、を更に備える
ことを特徴とする請求項１又は２に記載の検針装置。
【請求項４】
前記提示部は、検針結果が登録された顧客であって、印字済みフラグが記憶されていない顧客が複数存在するときは、それらの顧客識別情報を、当該顧客の住所内容に基づいて定められた所定の順序で、印字出力の対象として選択可能に提示する
ことを特徴とする請求項３に記載の検針装置。
【請求項５】
住所区画ごとに、複数の顧客識別情報を関連付けて記憶する第３記憶部を更に備え、
前記提示部は、所定の住所区画に関連付けられた複数の顧客識別情報に対応するすべての顧客について検針結果が登録された場合であって、印字済みフラグが記憶されていない顧客が存在するときは、前記所定の住所区画に関連付けられた複数の顧客識別情報に対応するすべての顧客について検針結果が登録されてから一定時間以内に報知する
ことを特徴とする請求項３又は４に記載の検針装置。
【請求項６】
前記第１記憶部は、複数の理由種別から選択された少なくとも一の保留理由と関連付けて保留フラグを記憶し、
検針結果が登録された顧客の顧客識別情報と関連付けて保留フラグが記憶されている場合、前記印字制御部は、保留フラグに係る保留理由ごとに設定された印字出力態様に基づいて、当該顧客の検針結果を印字出力する
ことを特徴とする請求項１乃至５のいずれか一項に記載の検針装置。
【請求項７】
検針結果が登録された顧客の顧客識別情報と関連付けて所定の保留理由に係る保有フラグが記憶されている場合、前記印字制御部は、所定の入力操作に応じて、当該所定の保留理由に係る前記保留フラグが記憶されているすべての顧客の検針結果を、顧客ごとに、連続して印字出力する
ことを特徴とする請求項６に記載の検針装置。
【請求項８】
選択した顧客についての保留フラグの設定を、保留理由の選択とともに受け付け、
入力操作がなされるに応じて、対応する顧客の顧客識別情報と関連付けて保留フラグ及び保留理由を、前記第１記憶部に記憶する保留フラグ設定部を、更に備える
ことを特徴とする請求項６又は７に記載の検針装置。
【請求項９】
前記第１記憶部に記憶された保留フラグ及び保留理由は、複数の検針装置に係る顧客データを管理する管理装置を介して、他の検針装置にデータ共有される
ことを特徴とする請求項６乃至８のいずれか一項に記載の検針装置。
【発明の詳細な説明】
【技術分野】
【０００１】
本発明は、検針結果を印字出力する携帯型の検針装置に関する。
【背景技術】
【０００２】
一般に、電力会社、ガス事業者、水道事業者等では、顧客が使用した電気、水道、ガス等の使用量を確認するため、作業者が、顧客先に設置された計量器を確認するという作業を行っている（以下、「検針」と言う）。そして、検針の際、作業者は、印字装置が付属された携帯型の検針装置（ハンディターミナル）を用いて、顧客ごとに、計量器が示す電気、水道、ガス等の使用量（以下、「検針結果」と言う）を入力するとともに、当該使用量から換算して得られる検針票を印字出力して、郵便ポストに配付するという作業を行っている（例えば、特許文献１を参照）。
【先行技術文献】
【特許文献】
【０００３】
【特許文献１】特開２００７−１５６８０２号公報
【発明の概要】
【発明が解決しようとする課題】
【０００４】
しかし、現状の検針装置は、作業者の作業効率や、検針票という個人情報の取り扱いを考慮した最適なシステムとなっているとはいえない。具体的には、検針場所と検針票の配布場所が同じ場所にあることを想定しており、検針装置は、検針結果が入力されるに応じて、その場で検針票を印字出力する構成となっている。そのため、アパート・マンション等のように集合ポストとなっている場合には、作業者は、印字出力された検針票を、当該集合ポストに配布するまでの間、別途持ち歩くこととなり、検針票を持ち歩いている最中に紛失したり、雨天時には検針票を汚してしまうという問題が生じていた。
【０００５】
そこで、本発明は、作業者の作業効率や検針票の取り扱いの利便性を向上させる携帯型の検針装置を提供することを目的とする。
【課題を解決するための手段】
【０００６】
前述した課題を解決する主たる本発明は、検針結果を印字出力する携帯型の検針装置であって、顧客識別情報と関連付けて保留フラグを記憶する第１記憶部と、顧客ごとに、検針結果の入力を受け付けるとともに、検針結果が入力されるに応じて、対応する顧客の顧客識別情報と関連付けて当該検針結果を登録し、当該顧客の顧客識別情報と関連付けて保留フラグが記憶されている場合は、当該顧客の検針結果を印字出力することなく、当該顧客の検針結果の入力に連続して他の顧客の検針結果の入力を受け付ける検針結果登録部とを備えることを特徴とする検針装置である。本発明の他の特徴については、添付図面及び本明細書の記載により明らかとなる。
【発明の効果】
【０００７】
本発明に係る検針装置によれば、作業者は、集合ポストのように電力量計が設置された検針場所と検針票の配布場所が離れている場合においても、検針票を持ち歩くことなく検針作業を行うことができる。加えて、本発明に係る検針装置によれば、集合ポスト等における連続検針を可能としながら、未印字状態の検針結果については報知する構成としているため、大幅な作業効率の改善、及び配布忘れの防止を図ることができる。
【図面の簡単な説明】
【０００８】
【図１】本発明の第１実施形態における管理システムの構成を示す図である。
【図２】本発明の第１実施形態における検針装置のハードウェア構成を示す図である。
【図３Ａ】本発明の第１実施形態における検針装置のデータ構成を示す図である。
【図３Ｂ】本発明の第１実施形態における検針装置のデータ構成を示す図である。
【図３Ｃ】本発明の第１実施形態における検針装置のデータ構成を示す図である。
【図４】本発明の第１実施形態における検針装置の機能構成を示す図である。
【図５】本発明の第１実施形態における検針装置の保留フラグ設定画面を示す図である。
【図６Ａ】本発明の第１実施形態における検針装置の動作フローを示す図である。
【図６Ｂ】本発明の第１実施形態における検針装置の動作フローを示す図である。
【図７】本発明の第１実施形態における検針装置の検針結果入力画面を示す図である。
【図８】本発明の第１実施形態における検針装置の印字保留一覧画面を示す図である。
【図９】本発明のその他の実施形態における検針装置の保留フラグ設定画面を示す図である。
【発明を実施するための形態】
【０００９】
本明細書および添付図面の記載により、少なくとも以下の事項が明らかとなる。
【００１０】
＜第１実施形態＞
本実施形態に係る検針装置は、印字出力保留機能を有し、集合ポストを備えるマンション等の顧客宅について保留フラグを設定することで、これらの顧客宅の検針を連続して行い、これらの顧客宅の検針がすべて終わった後に、集合ポストの設置場所等において、検針票を一括で印字出力できる構成としている。又、ポストが設置されていない等の顧客の個別の事情によって検針を行った後に顧客宅のポストへ検針票を配布しない場合もあり、本実施形態に係る検針装置は、これらの場合にも、当該印字出力保留機能により営業所での一括印字等を可能として、検針票の取り扱いの利便性を向上させている。尚、以下では、顧客の電力使用量を確認するための検針作業を、一例として説明する。
【００１１】
図１に、本実施形態に係る検針装置を含む管理システムの一例を示す。本実施形態に係る管理システムは、複数の検針装置１００Ａ、１００Ｂ、１００Ｃと、管理装置２００とから構成される。検針装置１００Ａ、１００Ｂ、１００Ｃ（以下、総称して「検針装置１００」と言う）は、検針作業を行う作業者が操作する、印字装置を備えた携帯型のコンピュータである（詳細は後述する）。又、管理装置２００は、顧客データを一元管理するコンピュータである。これらの装置は、通信機能を有し、ＬＡＮ等の通信回線３００を利用して、データ通信を行う。
【００１２】
そして、作業者は、検針装置１００を操作して、検針作業を行う前に管理装置２００から検針作業を行う対象となる顧客の顧客データを取得するとともに、検針作業を行った後に、各顧客の検針結果に関するデータを管理装置２００に送信する。以上の構成により、各顧客の電力使用量の管理を行う。
【００１３】
===検針装置の構成について===
以下、図２〜図４を参照して、本実施形態における検針装置の構成について説明する。
図２に、本実施形態に係る検針装置１００のハードウェア構成の一例を示す。本実施形態に係る検針装置１００は、ＣＰＵ（Central Processing Unit）１１０、記憶装置１２０、表示装置１３０、入力装置１４０、通信装置１５０、印字装置１６０を備えるコンピュータである。
【００１４】
ＣＰＵ１１０は、バス１７０を介して、記憶装置１２０、表示装置１３０、入力装置１４０、通信装置１５０、印字装置１６０とデータ通信を行うとともに、それらの動作を制御する装置である。又、ＣＰＵ１１０は、これらの装置を用いて、顧客データ取得部１１１、顧客データ送信部１１２、検針結果登録部１１３、印字制御部１１４、提示部１１５、保留フラグ設定部１１６の各種機能を実現する（詳細は後述する）。尚、これらは、ＣＰＵが記憶装置１２０に記憶されたコンピュータプログラムを実行することにより実現される。
記憶装置１２０は、検針装置１００を制御するためのコンピュータプログラム、各種データ、及び演算処理の中間データ等を記憶する装置である。尚、各種データは、顧客データＭ１、検針結果データＭ２、画像フォーマットデータ、検針票印字フォーマットデータを含む（詳細は後述する）。
【００１５】
表示装置１３０は、検針作業を行う作業者に、検針結果を入力する画面、保留フラグを設定する画面等を表示する装置である。表示装置１３０は、例えば、液晶ディスプレイによって構成される。
【００１６】
入力装置１４０は、作業者がデータを入力した場合、記憶装置１２０に当該入力内容を記憶させる装置である。入力装置１４０は、例えば、キーボードによって構成される。
【００１７】
通信装置１５０は、通信回線３００を介して、管理装置２００とデータ通信する装置である。通信装置１５０は、例えば、通信コントローラによって構成され、ＬＡＮ（通信回線３００）を介して、管理装置２００とデータ通信を行う。尚、通信装置１５０は、検針装置１００が外部機器とデータ通信するためのインターフェイスであり、ＲＳ２３２Ｃ、ＵＳＢ、ＮＩＣ(Network Interface Card)等、任意の通信方式で、外部機器とデータ通信する装置であってよい。尚、通信装置１５０が、ＬＡＮを介して外部機器とデータ通信する場合、当該外部機器のアドレス情報等を記憶装置１２０に記憶しておく。
【００１８】
印字装置１６０は、作業者が検針結果を登録したとき、顧客ごとに、対応する顧客の検針結果を印字出力する装置である。印字装置１６０は、例えば、サーマルヘッドでインクジェットロール紙に印字するサーマルヘッドプリンタである。尚、印字装置１６０を外付けとし、ＣＰＵ１１０は、通信装置１５０を介して、当該装置を制御する構成としてもよい。
【００１９】
=データ構成について=
ここで、本実施形態に係る検針装置１００の記憶装置１２０が有する顧客データＭ１、検針結果データＭ２について説明する。
【００２０】
図３Ａに、顧客データＭ１のデータ構成の一例を示す。顧客データＭ１は、例えば、顧客ごとに、顧客識別情報（以下、「顧客ＩＤ」と言う）と関連付けて記憶された、「契約者名」、「住所」、「住所区画」、「保留フラグ」、「保留理由」に関するデータを有するデータテーブルである。
【００２１】
「顧客ＩＤ」は、例えば、各顧客宅に設置された電力量計の識別番号が設定される。又、「契約者名」は、電気事業者と契約した顧客の氏名を表す。尚、顧客ＩＤは、作業者が検針作業で巡回する経路に従って設定されているものとする。
【００２２】
又、「住所」は、電気事業者と契約した顧客の住所内容を表す。ここで、住所に関するデータは、住所内容（マンション名や地番）に基づいて、ソート及び抽出が可能な形式で記憶されている。検針装置１００は、当該データを用いて、検針票を連続して印字出力する際に、印字対象を並び替えて表示したり、保留フラグを設定する候補を提示したりする（詳細は後述する）。
【００２３】
又、「住所区画」は、住所内容に基づいて設定された地理的な区画の識別情報（以下、「区画ＩＤ」と言う）である。図３Ｂに、地理的な区画と区画ＩＤの対応関係の一例を示す。図３Ｂは、作業者が検針を行う地域の地図を平面視したものであり、作業者が検針を行う際に巡回する経路を表す。区画ＩＤは、検針票の配布忘れを防止するために、作業者が検針を行う地域のすべての顧客を、所定の住所区画ごとに分割して、該当する住所区画を住所とする顧客の顧客識別情報に関連付けて設定されるデータである。即ち、区画ＩＤは、住所区画ごとに、複数の顧客識別情報を関連付けて設定される。具体的には、区画ＩＤは、当該作業者が検針を行う際に巡回する経路に対応して設定されており、「区画Ｎｏ．００１」、「区画Ｎｏ．００２」、「区画Ｎｏ．００３」・・・「区画Ｎｏ．００８」は、作業者が巡回する順序に対応する。夫々の区画は、一戸建ての家やアパート等、適当な領域で区切った複数の顧客宅から構成される。作業者は、検針作業を行う際には、当該区画単位で検針を完了させていくように巡回する。そして、検針装置１００（提示部１１５）は、当該区画単位で検針忘れを防止するため、当該区画内におけるすべての顧客の検針結果が登録されているにも関わらず、検針票を印字出力していない顧客が存在するときは、当該区画に関連付けられた複数の顧客識別情報に対応するすべての顧客について検針結果が登録されてから一定時間以内に報知する（詳細は後述する）。
【００２４】
「保留フラグ」は、検針を行ったとき（検針結果データＭ２に検針結果を登録したとき）に、当該検針結果に係る検針票をすぐに印字出力せずに、所望のタイミングで印字出力できるように予め設定されるフラグである。保留フラグは、例えば、「集合ポスト」に係る顧客の検針を行った場合、集合ポストに係る顧客の検針すべてが終了してから印字出力できるように設定される。又、保留フラグは、顧客宅が集合ポストを有する集合住宅の場合以外にも、「配付場所なし」、「お客さま希望」、「別住所配付」等、顧客の個別の事情により検針票を顧客宅のポストには配布せず、一日の検針すべてが終了してから、営業所で一括して検針票を印字出力できるように設定される。「保留フラグ」が設定された場合、例えば、図３Ａに示すように、顧客の顧客ＩＤと関連付けて「１」と記憶される（保留フラグが未設定の場合は「０」のフラグが設定されている）。
【００２５】
「保留理由」は、保留フラグを設定する際に、保留フラグの理由種別を識別させるために設定される。上記したように、保留フラグは、これが設定された理由種別が、「集合ポスト」、「配付場所なし」、「お客さま希望」、「別住所配付」の何れかによって、その後の検針票の取り扱いが異なる。そのため、保留フラグを設定する際に、あわせて保留理由を設定し、その保留理由ごとに検針票の印字出力態様が設定される。尚、「集合ポスト」は、例えば、顧客宅が集合ポストを有する集合住宅の場合、その他家屋が近接しているため検針票をまとめて印字出力した方が作業者の作業効率や検針票の取り扱いの観点で便宜である場合に設定される。又、「配付場所なし」は、例えば、顧客宅に検針票を配布するポストがないため、その場では検針票を印字出力しない方がよいが、当該顧客からの要望があったとき、検針票を渡す必要がある場合に設定される。又、「お客さま希望」は、例えば、顧客の希望により、検針票を渡す必要がない場合に設定される。又、「別住所配付」は、例えば、顧客の希望する住所へ検針票を配送する必要がある場合に設定される。即ち、「お客さま希望」、「配布場所なし」、「別住所へ配布」の顧客の検針票については、一連の検針作業が終了した後、営業所等で、当該顧客の検針票を印字して、別途保管、又、別住所へ配送するために設定される。
【００２６】
尚、「顧客ＩＤ」、「契約者名」、「住所」、「住所区画」に関するデータは、検針装置１００が管理装置２００から取得するデータであり、「保留フラグ」、「保留理由」に関するデータは、検針装置１００を操作する作業者が設定するデータである（詳細は後述する）。
【００２７】
図３Ｃに、検針結果データＭ２のデータ構成の一例を示す。検針結果データＭ２は、例えば、顧客ごとに、顧客ＩＤと関連付けて記憶された、「電力使用量」、「検針結果登録済みフラグ」、「印字済みフラグ」に関するデータを有するデータテーブルである。
【００２８】
「電力使用量」は、作業者が、入力装置１４０を介して、顧客ごとに、検針結果を入力したときに、対応する顧客の検針結果として登録（記憶）されるデータである。電力使用量に関するデータは、例えば、作業者が顧客宅に設置された電力量計の数値を確認して入力されるデータ、及び、当該数値から算出される電気料金に関するデータである。当該データは、後述する検針結果登録部１１３が、検針結果を登録することにより記憶される。又、「検針結果登録済みフラグ」は、電力使用量が登録された場合に、検針作業が終了していることを示すデータである。当該データは、後述する検針結果登録部１１３が検針結果を登録するに応じて設定される。又、「印字済みフラグ」は、登録された検針結果が、検針票として印字済みであるか否かを示すデータである。当該データは、後述する印字制御部１１４が検針票を印字するに応じて設定される。尚、検針結果登録済みフラグ及び印字済みフラグに関するデータは、登録済みの場合は「１」のフラグ、未登録の場合は「０」のフラグが設定される（図中では、夫々「完了」、「未」と表している）。
【００２９】
=機能構成について=
ここで、本実施形態に係る検針装置１００が有する各種機能について説明する。図４に、本実施形態に係る検針装置１００の機能構成の一例を示す。本実施形態に係る検針装置１００は、顧客データ取得部１１１、顧客データ送信部１１２、検針結果登録部１１３、印字制御部１１４、提示部１１５、保留フラグ設定部１１６を備える。これらの機能を用いた検針装置１００の動作フローの一例は、図６Ａ、図６Ｂを参照して後述する。
【００３０】
顧客データ取得部１１１は、通信装置１５０を介して、管理装置２００から、顧客データＭ１（保留フラグに関するデータを含む）を取得する機能である。
【００３１】
顧客データ送信部１１２は、通信装置１５０を介して、管理装置２００に対して、検針結果データＭ２に記憶された電力使用量に関するデータ、及び、顧客データＭ１のうち、保留フラグ設定部１１６により設定された保留フラグに関するデータを送信する機能である。これによって、管理装置２００は、複数の検針装置１００に記憶された検針結果に関するデータを一元管理する。又、管理装置２００は、複数の検針装置１００に記憶された保留フラグに関するデータを一元管理し、他の検針装置１００で検針作業を行うときも、設定された保留フラグが反映された顧客データＭ１を取得することが可能となっている。即ち、保留フラグは、各検針装置１００で設定がなされ、管理装置２００を介して、他の検針装置１００とデータ共有される構成となっている。尚、顧客データ取得部１１１、顧客データ送信部１１２は、例えば、検針装置１００を使用する作業者が、入力装置１４０に所定の入力操作を行うことにより実行される。
【００３２】
尚、顧客データ送信部１１２は、上記の検針結果データＭ２に記憶された電力使用量に関するデータを送信した際、「お客さま希望」、「配付場所なし」、「別住所配付」を保留理由とする保留フラグが設定された顧客の検針票を営業所において管理するため、これらの保留フラグが設定されたすべての顧客の検針票を、印字制御部１１４に連続して印字出力させる。
【００３３】
検針結果登録部１１３は、顧客ごとに検針結果の登録を受け付け、作業者が、入力装置１４０に対して顧客の検針結果を入力したときに、対応する顧客の顧客ＩＤと関連付けて、検針結果データＭ２に検針結果を登録する機能である。
【００３４】
より詳細には、検針結果登録部１１３は、記憶装置１２０に記憶された画像フォーマットデータに基づいて、検針結果を入力可能な態様で表示装置１３０に表示して、顧客ごとに検針結果の登録を受け付ける（図７を参照して一例を後述する）。そして、検針結果登録部１１３は、作業者が入力装置１４０を用いて検針結果を入力した場合に、検針結果データＭ２のうち、対応する顧客の電力使用量に検針結果を登録するとともに、検針結果登録済みフラグを未登録状態から「完了」状態へと更新する。
【００３５】
ここで、検針結果登録部１１３は、検針結果を登録したときに、顧客データＭ１の当該顧客の保留フラグを識別し、当該顧客の顧客ＩＤと関連付けて保留フラグが記憶されていない場合は、これを契機として印字制御部１１４に検針票を印字出力させ、当該顧客の顧客ＩＤと関連付けて保留フラグが記憶されている場合は、検針票を印字出力することなく、当該顧客の検針結果の入力に連続して他の顧客の検針結果の入力を受け付ける。尚、当該顧客の検針結果の入力に連続して他の顧客の検針結果の入力を受け付けるとは、検針結果の登録対象を所定の順序（例えば、顧客ＩＤの順）で、自動的に設定することにより、連続して検針結果の入力を受け付けることを意味する。
【００３６】
印字制御部１１４は、印字装置１６０を制御して、検針結果（検針票）を印字出力する機能である。
【００３７】
より詳細には、印字制御部１１４は、検針結果データＭ２に登録された当該顧客の電力使用量に関するデータに基づいて、記憶装置１２０に記憶された検針票印字フォーマットデータから顧客ごとの検針票印字データを生成し、印字装置１６０を用いて検針票を印字出力する。印字制御部１１４は、検針結果登録部１１３が検針結果データＭ２に検針結果を登録したことを契機として、検針結果登録部１１３から呼び出されて検針票の印字出力を実行する。そのため、印字制御部１１４は、検針結果が登録された顧客の顧客ＩＤと関連付けて保留フラグが設定されている場合、検針結果登録部１１３が連続検針を行うため、検針票の印字出力を実行せず、その保留フラグの保留理由ごとに設定された印字出力態様により、検針票の印字出力を実行する。
【００３８】
具体的には、印字制御部１１４は、集合ポストを保留理由とする保留フラグが設定されている場合は、提示部１１５が表示する印字保留一覧画面で、作業者が印字対象の顧客を選択するに応じて、提示部１１５から呼び出されて当該印字対象の顧客の検針票の印字出力を実行する。又、お客さま希望、配布場所なし、別住所へ配布を保留理由とする保留フラグが設定されている場合は、所定の入力操作（例えば、顧客データ送信部１１２を動作させるための入力操作）を契機として、保留理由ごとに、当該保留理由に係る保留フラグが設定されているすべての顧客の検針票を連続して印字出力する。
【００３９】
尚、印字制御部１１４は、検針票を印字出力した場合は、検針結果データＭ２のうち、対応する顧客の印字済みフラグを「完了」状態に更新する。そして、検針票を印字出力した後は、印字制御部１１４は、初期画面に戻してもよいし、検針結果登録部１１３に、他の顧客の検針結果の入力を受け付けさせる構成としてもよい。
【００４０】
提示部１１５は、集合ポストに係る保留フラグが設定された顧客であって、検針結果が登録された後に、印字済みフラグが記憶されていない顧客の顧客識別情報を、印字出力の対象として選択可能に提示する機能である。
【００４１】
より詳細には、提示部１１５は、任意のタイミング、例えば、入力装置１４０に備えられた印字保留一覧画面への遷移ボタンＰが作業者に押下されたことや、１つの集合ポスト単位の検針が終了したことを契機として、検針結果データＭ２の検針結果登録済みフラグ及び印字済みフラグに基づいて、未印字の顧客のうち、集合ポストに係る保留フラグが設定された顧客を選択して、表示装置１３０に、住所内容に基づいて定められた所定の順序で選択可能に提示する。そして、提示部１１５は、それらの顧客の一又は複数が選択された場合、印字制御部１１４にそれらの顧客の検針票を印字出力させる（図８を参照して後述する）。
【００４２】
又、提示部１１５は、住所区画ごと（区画ＩＤ）に、当該区画ＩＤに関連付けられたすべての顧客の検針票が印字出力されたか否かを判断し、当該区画ＩＤに関連付けられたすべての顧客について検針結果が登録された場合であって、印字済みフラグが記憶されていない顧客がいるときは、当該区画ＩＤに関連付けられた複数の顧客識別情報に対応するすべての顧客について検針結果が登録されてから一定時間以内に報知する機能を有する。
【００４３】
より詳細には、提示部１１５は、例えば、検針結果登録部１１３が検針結果を登録する処理をした後に、検針結果が登録された顧客の区画ＩＤと同一の区画ＩＤが設定された顧客について、検針結果データＭ２の検針結果登録済みフラグと、印字済みフラグの確認を行う。そして、提示部１１５は、当該区画ＩＤのすべての顧客について、検針結果登録済みフラグが記憶されており、印字済みフラグが記憶されていない顧客が存在するときは、検針票の配布忘れであると判断して、例えば、表示装置１３０に、当該顧客ＩＤとともに注意メッセージを表示する。これによって、上記した印字出力保留機能を設けたことによって生じ得る、検針票の配布忘れを防止している。尚、提示部１１５は、印字済みフラグが記憶されていない顧客の保留理由が「集合ポスト」以外である場合（「お客さま希望」、「配布場所なし」、「別住所へ配布希望」等）は、検針票の配布忘れであると判断しない。
【００４４】
尚、顧客データＭ１の当該区画ＩＤを集合ポスト単位で設定し、提示部１１５が、検針結果登録部１１３が検針結果を登録する処理をした後に、検針結果登録済みフラグと印字済みフラグに基づいて、集合ポスト単位での検針作業の終了を判断して、終了と判断した場合に、未印字分の顧客を選択可能に提示する構成としてもよい。
【００４５】
保留フラグ設定部１１６は、選択した顧客についての保留フラグの設定を受け付け、設定入力がなされるに応じて、顧客ＩＤと関連付けて、保留フラグ及び保留理由を顧客データＭ１に記憶する機能である。
【００４６】
ここで、保留フラグ設定部１１６が保留フラグを設定する態様の一例について説明する。図５は、保留フラグ設定部１１６が保留フラグを設定する際に、表示装置１３０に表示する画面の一例である（以下、「保留フラグ設定画面」と言う）。
【００４７】
図５中のＴ１１〜Ｔ１６は、保留フラグ設定画面に表示される表示情報である。具体的には、Ｔ１１は顧客ＩＤの入力ボックスである。Ｔ１２は当該顧客の住所を表示する領域、Ｔ１３は当該顧客の現在の保留フラグの設定状態を表示する領域、Ｔ１４は保留フラグを設定するためのボタンを表示する領域、Ｔ１５〜Ｔ１７は当該顧客に保留フラグを設定する場合の保留理由を表示する領域を表示する領域を表す。尚、Ｔ１４は、入力装置１４０の操作により選択可能な態様で表示され、選択されるに応じて当該項目に紐付けられた処理を実行する（以下、「アイコン」と言う）。又、Ｔ１５〜Ｔ１７は、入力装置１４０の操作により選択可能な態様で表示され、選択されるに応じて当該項目が一時記憶される（以下、「チェックボックス」と言う）。
【００４８】
保留フラグ設定部１１６は、入力ボックスＴ１１に入力された一の顧客ＩＤに基づいて、Ｔ１２〜Ｔ１３に当該顧客ＩＤに対応する表示を行う。即ち、作業者が、入力ボックスＴ１１に顧客ＩＤを入力することにより、保留フラグ設定部１１６は、対応する顧客の住所、現在の保留フラグの設定状態が顧客データＭ１から読みだして、Ｔ１２〜Ｔ１３に表示する。そして、作業者が、入力装置１４０を用いて、チェックボックスＴ１５〜Ｔ１７のいずれかの保留理由を選択した状態で、保留フラグを設定するためのボタン（アイコンＴ１４）を選択する操作を行った場合、保留フラグ設定部１１６は、当該顧客について保留フラグ及び保留理由を顧客データＭ１に設定する。尚、保留フラグ設定部１１６は、記憶装置１２０に記憶された画像フォーマットデータに基づいて、上記の保留フラグ設定画面を生成し、保留フラグが設定可能な態様で表示装置１３０に表示している。
【００４９】
これによって、作業者は、現場で集合ポストがあることを確認した場合や、配布場所がないことを確認した場合に、その後の検針票の取り扱い（保留理由）に応じた態様で、容易に保留フラグを設定・解除することができる。又、設定した保留フラグは、管理装置２００により一元管理され、顧客の申し出を受け付けた場合等、管理装置２００からも容易に保留フラグの設定・解除が可能となっている。これにより、他の検針装置１００で検針作業を行うときも、設定された保留フラグが反映された顧客データＭ１を取得することが可能となっており、使用する検針装置１００を頻繁に交換する場合にも対応が可能となっている。
【００５０】
尚、保留フラグ設定部１１６は、「お客さま希望」の保留理由等により印字保留された場合であっても、印字保留を解除することによって、現地で急に検針票を配付する必要が生じたときに、検針票を印字出力することができる構成としてもよい。その場合、保留フラグ設定部１１６は、例えば、保留フラグの設定とともに、保留フラグの解除も可能として、保留フラグ設定画面で「保留理由の解除」（図示せず）が選択された場合、顧客データＭ１の保留フラグを解除し、検針結果が既に登録されているときは、これを契機として、印字制御部１１４に当該顧客の検針票を印字出力させる。
【００５１】
一方、保留フラグ設定部１１６は、保留フラグの「当月のみ解除」を設定可能な構成としてもよい。その場合、保留フラグ設定部１１６は、保留フラグ設定画面で「当月のみ解除」（図示せず）を選択可能として、当該データが登録された場合、検針結果登録部１１３は、検針結果が登録されるに応じて、印字制御部１１４に当該顧客の検針票を印字出力させ、今月のみ配布することができる構成とする。その際、検針装置１００及び管理装置２００の顧客データＭ１の保留フラグ自体は、解除されず、今までの保留フラグの登録は維持される構成とする。他方、保留フラグ設定部１１６は、保留フラグを設定していない顧客に対し、保留理由「当月のみ保留」を設定可能な構成としてもよい。その場合、保留フラグ設定部１１６は、保留フラグ設定画面で「当月のみ保留」（図示せず）を選択可能として、当該データが登録された場合、「お客さま希望」等の保留理由が設定された場合と同様の印字出力態様とする。即ち、検針結果登録部１１３は、当該顧客については、検針結果が登録されたことを契機としては印字出力せずに、一連の検針作業終了後に、印字制御部１１４に連続印字させる構成とする。
【００５２】
===検針装置の動作について===
以下、図６〜図８を参照して、本実施形態における検針装置１００の検針時の動作の一例について説明する。図６ＡのＳ１〜Ｓ４、及び図６ＢのＳ５〜Ｓ７は、検針装置１００のＣＰＵ１１０がコンピュータプログラムに従って順に実行する工程を表す。
【００５３】
Ｓ１は、検針結果登録部１１３が、検針結果を入力する画面（以下、「検針結果入力画面」と言う）を表示装置１３０に表示する工程である。本工程は、検針装置１００に検針作業を開始する操作がなされたときに行われる。このとき、検針結果登録部１１３は、検針結果入力画面を表示して、入力装置１４０により電力使用量が入力され、登録されるのを待ち受ける。
【００５４】
図７に、検針結果入力画面の一例を表す。図中のＴ２１〜Ｔ２６は、検針結果入力画面に表示される表示情報である。具体的には、Ｔ２１は検針対象の顧客ＩＤを入力する入力ボックスを表示する領域、Ｔ２２は検針対象の顧客ＩＤに関連付けられた住所を表示する領域、Ｔ２３は検針対象の顧客ＩＤに関連付けられたメモ（例えば、保留フラグに関わる情報等）を表示する領域、Ｔ２４は検針対象の顧客の電力使用量を入力する入力ボックスを表示する領域、Ｔ２５はＴ２４の入力ボックスに入力した電力使用量を検針結果として登録するためのアイコンを表示する領域、Ｔ２６は検針対象の顧客に対して保留フラグを設定する場合に選択するアイコンを表示する領域を表す。尚、Ｔ２２、Ｔ２３は、作業者が、検針結果入力画面において、Ｔ２１に検針対象の顧客ＩＤを入力することにより、顧客データＭ１に基づいて表示される。
【００５５】
Ｓ２は、検針結果登録部１１３が、入力された検針結果を検針結果データＭ２に登録する工程である。作業者は、検針作業において、顧客宅に設置された電力量計を目視により確認し、入力装置１４０を操作して、検針結果入力画面の入力ボックスＴ２４に検針対象の顧客の電力使用量を入力する。そして、作業者が、アイコンＴ２５（検針結果として登録）を選択することにより、検針結果登録部１１３は、検針結果データＭ２の対応する顧客の検針結果として登録する。又、このとき、検針結果登録部１１３は、入力された電力使用量に基づいて、請求額を演算処理して、検針結果データＭ２に記憶する。又、このとき、検針結果登録部１１３は、検針結果データＭ２の対応する顧客の検針結果登録済みフラグを「完了」状態に変更する。
【００５６】
尚、検針結果入力画面のアイコンＴ２６（保留フラグ設定）は、保留フラグを設定又は解除するためのアイコンである。具体的には、当該アイコンＴ２６が選択された場合、保留フラグ設定部１１６は、検針対象の顧客ＩＤを取得して、当該顧客を保留フラグ設定対象の顧客として選択し、保留フラグ設定画面を生成し、保留フラグを設定可能な状態に移行する。
【００５７】
Ｓ３は、検針結果登録部１１３が、検針結果が登録された顧客に保留フラグが設定されているか否かを判断する工程である。本工程において、検針結果登録部１１３は、顧客データＭ１に検針結果が登録された顧客と関連付けて、保留フラグに関するデータが設定されているか否か判断する。そして、検針結果登録部１１３は、保留フラグが設定されていると判断した場合（Ｓ３：ＮＯ）、Ｓ１の工程に戻って連続検針を行い、保留フラグに関するデータが設定されていないと判断した場合（Ｓ３：ＹＥＳ）、個別検針として、Ｓ４の工程で印字制御部１１４に印字出力させる。ここで、検針結果登録部１１３は、連続検針の場合（Ｓ３：ＮＯ）、次の検針対象の顧客を、例えば、顧客ＩＤの順に選択し（例えば、顧客ＩＤ「１０００５」の検針結果が登録された場合、次に顧客ＩＤ「１０００６」）、入力ボックスＴ２１に当該検針対象を入力（設定）した状態で表示する。これにより、作業者が、検針対象の顧客ＩＤを確認し、検針結果入力画面に入力する負担を軽減している。
【００５８】
Ｓ４は、印字制御部１１４が、検針結果の登録がなされた顧客の検針票を印字出力する工程である。このとき、印字制御部１１４は、上記したように検針結果データＭ２の対応する顧客の電力使用量に関するデータに基づいて、検針票印字フォーマットデータから、顧客ごとの検針票印字データを生成し、印字出力する。又、印字制御部１１４は、検針票を印字出力した場合、検針結果データＭ２の対応する顧客の印字済みフラグを「完了」状態に更新する。印字制御部１１４は、印字出力を行った後、再度、Ｓ１の工程に戻って、検針結果登録部１１３による処理（検針結果入力画面の表示）を行う。
【００５９】
ここで、検針装置１００の入力装置１４０には、保留フラグが設定された顧客の一覧を表示する画面（以下、「印字保留一覧画面」と言う）への遷移ボタンＰが備えられ、作業者が当該ボタンＰを押下した場合、Ｓ５の工程に移行する。
【００６０】
Ｓ５は、提示部１１５が、集合ポストに係る保留フラグが設定された顧客の検針票を連続で印字出力するための印字保留一覧画面を表示する工程である。そして、提示部１１５は、印字保留一覧画面を表示した状態で、入力装置１４０により、一の項目（アイコン）が選択されるのを待ち受ける。
【００６１】
図８に、検針票の印字対象を選択させるための印字保留一覧画面の一例を表す。図中のＴ３１〜Ｔ３６は、印字保留一覧画面に表示される表示情報である。具体的には、Ｔ３１〜Ｔ３５は、集合ポストに係る保留フラグが設定され、検針結果登録済みフラグが「完了」となっているが、印字済みフラグが「未」の状態の印字保留された顧客の顧客ＩＤ及び住所の夫々を表示する。又、Ｔ３６は、これらの印字保留された顧客の検針票を一括で印字出力する内容を表示する領域を表す。このとき、Ｔ３１〜Ｔ３６は、夫々、入力装置１４０の操作により選択可能な態様で、アイコンとして表示されている。又、このとき、提示部１１５は、顧客データＭ１の対応する顧客の住所内容に基づいて、部屋番号順等に並べ替えて表示する構成としている。これにより、作業者が顧客のポストに検針票を配布する際に、入れ間違いを防止する構成となっている。
【００６２】
Ｓ６は、印字制御部１１４が、印字保留一覧画面で選択された項目に応じて、検針票を印字出力する工程である。提示部１１５は、印字保留一覧画面で、作業者が入力装置１４０を操作して指示入力を行った場合、印字制御部１１４に、対応する顧客の検針票を印字出力させる。具体的には、提示部１１５は、アイコンＴ３１〜Ｔ３５の全て又はいずれかが選択された状態で、アイコンＴ３６が選択されることにより、対応する顧客の検針票を連続して印字出力する。
【００６３】
Ｓ７は、提示部１１５が、集合ポストに係る顧客の検針票の印字がすべて終了したか否か判断する工程である。本工程で、提示部１１５は、検針結果データＭ２において、検針結果登録済みフラグ及び印字済みフラグが「完了」状態となっているか否かにより、集合ポストに係る顧客の検針票の印字がすべて終了したか否かを判断する。そして、集合ポストに係る顧客の検針票の印字がすべて終了している場合（Ｓ７：ＹＥＳ）、提示部１１５は、連続印字の工程を終了して、再度、Ｓ１の工程に戻って、検針結果登録部１１３に処理を再開させる（検針結果入力画面の表示）。一方、集合ポストに係る顧客の検針票の印字がすべて終了していない場合（Ｓ７：ＮＯ）、再度、Ｓ５の工程に戻って、印字保留一覧画面を表示する。このとき、提示部１１５は、検針結果データＭ２の印字済みフラグが「完了」状態になった顧客に関しては、印字保留一覧画面に表示しない（図示せず）ことにより、作業者が、再度、検針票を印字出力する間違いを防止する構成としている。
【００６４】
ここで、本実施形態に係る検針装置１００は、保留フラグにより連続検針（Ｓ１〜Ｓ３）を可能としているが、当該印字出力保留機能に伴う検針票の配布忘れを防止するため、提示部１１５の機能により、検針作業の巡回中の所定のタイミングで、例えば、検針結果登録部１１３が検針結果を登録したとき、当該検針結果が登録された顧客の区画ＩＤと同一の区画ＩＤが設定された顧客について、検針結果データＭ２の検針結果登録済みフラグと、印字済みフラグの確認を行う構成としている。そして、提示部１１５は、当該区画ＩＤのすべての顧客について、検針結果登録済みフラグが記憶されており、印字済みフラグが記憶されていない顧客が存在するときは、当該顧客の保留理由が「集合ポスト」以外である場合（「配布場所なし」、「別住所へ配布希望」等）を除いて、検針票の配布忘れであると判断して、例えば、表示装置１３０に、当該顧客ＩＤとともに注意メッセージを表示する。これによって、作業者は、区画ごとに、検針票の配布忘れに気づくことが可能となる。
【００６５】
以上の工程を繰り返すことにより、検針装置１００は、検針対象のすべての顧客の検針結果を検針結果データＭ２に登録する。そして、顧客データ送信部１１２が、当該検針結果データＭ２の電力使用量に関するデータと、顧客データＭ１の設定した保留フラグに関するデータを管理装置２００に送信することにより、一連の検針作業を終了する。
【００６６】
ここで、顧客データ送信部１１２は、例えば、作業者が所定の入力操作をすることを契機として実行を開始する。そして、顧客データ送信部１１２は、管理装置２００への当該顧客データＭ１及び検針結果データＭ２の送信に加えて、印字制御部１１４に対して、保留理由（例えば、「お客さま希望」、「配布場所なし」、「別住所へ配布」）ごとに、該当するすべての顧客の検針票を、理由種別ごとに連続で印字出力させる。
【００６７】
以上のように、本実施形態に係る検針装置１００によれば、マンションの集合ポストのように、電力量計が設置された検針場所と、検針票の配布場所が離れている場合においても、作業者は、検針票を持ち歩くことなく検針作業を行うことができる。特に、作業者が検針を行う顧客宅数は、相当数（例えば、数百宅）あり、少しでも作業効率の改善が求められるところ、検針結果を登録するごとに保留するか否かの操作をするのではなく、予め、集合ポストに係る顧客宅について保留フラグを設定しておくことによって、上記した保留操作や検針対象の入力操作を省略することが可能となり、大幅な作業効率の改善につなげることができる。
【００６８】
又、顧客の個別事情により、検針票の配布を不要とする場合において、検針票を持ち歩くことなく検針作業を行うことができ、理由種別ごとに、営業所等で検針票を一括して印字出力することができ、検針票の管理が容易となる。
【００６９】
＜その他の実施形態＞
上記実施形態では、保留フラグ設定部１１６は、集合ポストに係る保留フラグの設定を一顧客単位で行う態様を示した。しかし、集合ポストに係る保留フラグの設定を一括で行うことができるように、住所単位（例えば、Ａマンション）で設定可能としてもよい。
【００７０】
図９に、集合ポストに係る保留フラグの設定を住所単位で行う場合の、保留フラグ設定画面の一例を示す。当該保留フラグ設定画面では、保留フラグ設定部１１６は、当該マンションの住人（顧客）のすべてについて一括して集合ポストに係る保留フラグを設定できるようにするため、顧客データＭ１の住所内容に基づいて集合ポストに係る保留フラグを設定する候補項目（例えば、アイコンＴ１８、Ｔ１９）を生成し表示している。そして、作業者が、アイコンＴ１８又はＴ１９を選択する操作を行った場合、保留フラグ設定部１１６は、当該候補項目に関連する顧客と関連付けて、保留フラグ及び保留理由（集合ポスト）を、顧客データＭ１に設定する構成としている。尚、このとき、保留フラグ設定部１１６は、一の顧客識別情報を選択した上で保留フラグを設定する構成に代えて、顧客データＭ１の住所内容に基づいて保留フラグの設定対象を抽出する構成としてもよい。
【００７１】
又、上記実施形態では、検針装置１００に保留フラグ設定部１１６を設ける態様としたが、保留フラグ設定部１１６は、検針装置１００に代えて、管理装置２００に備えられていてもよい。
【００７２】
又、データ構成についても、本発明を逸脱しない範囲で種々の変更が可能である。例えば、必ずしも検針結果データＭ２に検針結果登録済みフラグの記憶領域を設ける必要はなく、提示部１１５は、最新の電力使用量が登録されているか否かを確認する構成としてもよい。又、保留フラグと保留理由を別個の記憶領域とする構成に代えて、保留理由のみを設定し、検針結果登録部１１３等は当該保留理由の記憶領域に基づいて、保留フラグが設定されているか否かを判断する構成としてもよい。
【００７３】
以上より、上記各実施形態は、下記の記載により特定される発明を開示するものである。
【００７４】
前述した課題を解決する主たる本発明は、検針結果を印字出力する携帯型の検針装置１００であって、顧客識別情報と関連付けて保留フラグを記憶する第１記憶部（顧客データＭ２の保留フラグの記憶領域に対応する）と、顧客ごとに、検針結果の入力を受け付けるとともに、検針結果が入力されるに応じて、対応する顧客の顧客識別情報と関連付けて当該検針結果を登録し、当該顧客の顧客識別情報と関連付けて保留フラグが記憶されている場合は、当該顧客の検針結果を印字出力することなく、当該顧客の検針結果の入力に連続して他の顧客の検針結果の入力を受け付ける検針結果登録部１１３と、を備えることを特徴とする検針装置１００である。これによって、マンションの集合ポストのように、電力量計が設置された検針場所と、検針票の配布場所が離れている場合においても、作業者は、検針票を持ち歩くことなく検針作業を行うことができる。
【００７５】
又、検針装置１００は、検針結果登録部１１３が検針結果を登録したとき、対応する顧客の顧客識別情報と関連付けて保留フラグが記憶されていない場合は、これを契機として当該顧客の検針結果を印字出力する印字制御部１１４、を更に備えるものであってもよい。
【００７６】
又、検針装置１００は、検針結果が印字出力された場合、対応する顧客の顧客識別情報と関連付けて印字済みフラグを記憶する第２記憶部（検針結果データＭ２の印字済みフラグの記憶領域に対応する）と、検針結果が登録された顧客であって、印字済みフラグが記憶されていない顧客の顧客識別情報を印字出力の対象として選択可能に提示する提示部１１５と、を更に備えるものであってもよい。
【００７７】
このとき、提示部１１５は、検針結果が登録された顧客であって、印字済みフラグが記憶されていない顧客が複数存在するときは、それらの顧客識別情報を、当該顧客の住所内容に基づいて定められた所定の順序で、印字出力の対象として選択可能に提示するものであってもよい。これによって、作業者が、顧客のポストに検針票を配布する際に、入れ間違いを防止する構成となっている。
【００７８】
又、このとき、検針装置１００に、住所区画ごとに、複数の顧客識別情報を関連付けて記憶する第３記憶部（顧客データＭ１の区画ＩＤの記憶領域に対応する）を更に備えるものとして、提示部１１５は、所定の住所区画に関連付けられた複数の顧客識別情報に対応するすべての顧客について検針結果が登録された場合であって、印字済みフラグが記憶されていない顧客が存在するときは、所定の住所区画に関連付けられた複数の顧客識別情報に対応するすべての顧客について検針結果が登録されてから一定時間以内に報知するものであってもよい。これによって、作業者は、区画ごとに、検針票の配布忘れに気づくことが可能となる。
【００７９】
又、第１記憶部Ｍ１は、複数の理由種別から選択された少なくとも一の保留理由と関連付けて保留フラグを記憶し、検針結果が登録された顧客の顧客識別情報と関連付けて保留フラグが記憶されている場合、印字制御部１１４は、保留フラグに係る保留理由ごとに設定された印字出力態様に基づいて、当該顧客の検針結果を印字出力するものであってもよい。
【００８０】
このとき、検針結果が登録された顧客の顧客識別情報と関連付けて所定の保留理由に係る保有フラグが記憶されている場合、印字制御部１１４は、所定の入力操作に応じて、当該所定の保留理由に係る保留フラグが記憶されているすべての顧客の検針結果を、顧客ごとに、連続して印字出力するものであってもよい。これによって、顧客の個別事情により、検針票の配布を不要とする場合において、検針票を持ち歩くことなく検針作業を行うことができ、理由種別ごとに、営業所等で検針票を一括して印字出力することができ、検針票の管理が容易となる。
【００８１】
又、検針装置１００は、選択した顧客についての保留フラグの設定を、保留理由の選択とともに受け付け、入力操作がなされるに応じて、対応する顧客の顧客識別情報と関連付けて保留フラグ及び保留理由を、第１記憶部Ｍ１（顧客データＭ１の保留フラグ及び保留理由の記憶領域に対応する）に記憶する保留フラグ設定部１１６を、更に備えるものであってもよい。これによって、作業者は、現場で集合ポストがあることを確認した場合や、配布場所がないことを確認した場合に、その後の検針票の取り扱い（保留理由）に応じた態様で、容易に保留フラグを設定することができる。
【００８２】
このとき、第１記憶部Ｍ１（顧客データＭ１の保留フラグ及び保留理由の記憶領域に対応する）に記憶された保留フラグ及び保留理由は、複数の検針装置１００に係る顧客データを管理する管理装置を介して、他の検針装置１００にデータ共有されるものであってもよい。これによって、設定した保留フラグは、管理装置２００により一元管理され、他の検針装置１００で検針作業を行うときも、設定された保留フラグが反映された顧客データＭ１を取得することが可能となっており、使用する検針装置１００を頻繁に交換する場合にも対応が可能となっている。
【００８３】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００８４】
１００  検針装置
１１１  顧客データ取得部
１１２  顧客データ送信部
１１３  検針結果登録部
１１４  印字制御部
１１５  提示部
１１６  保留フラグ設定部
２００  管理装置
３００  通信回線
Ｍ１  顧客データ
Ｍ２  検針結果データ
【図１】
0006464773.tif 000002
【図２】
0006464773.tif 000003
【図３Ａ】
0006464773.tif 000004
【図３Ｂ】
0006464773.tif 000005
【図３Ｃ】
0006464773.tif 000006
【図４】
0006464773.tif 000007
【図５】
0006464773.tif 000008
【図６Ａ】
0006464773.tif 000009
【図６Ｂ】
0006464773.tif 000010
【図７】
0006464773.tif 000011
【図８】
0006464773.tif 000012
【図９】
0006464773.tif 000013